(57)【要約】      （修正有）【課題】循環路が閉塞した状態で始動したときに、低コストで装置の被害を防止できる温水循環式熱源機を提供する。【解決手段】温水循環式熱源機１は、バーナ４１と、バーナ４１により加熱される熱交換器４２を介設した温水循環路４３と、循環路４３に温水を循環させる循環ポンプ４４とを有し、バーナ４１を作動させる前に、循環ポンプ４３を駆動するモータＭを所定回転数で回転させ、このときにモータＭに流れる電流値と循環路４３が閉塞しているか否かの判別基準になる基準値とを比較し、電流値が基準値より小さいときに、バーナ４１の作動を禁止する制御手段１１を備えている。さらに外気温を検出する温度検出手段６２を備え、制御手段１１は、電流値が基準値より小さいときに、温度検出手段６２の検出する温度に基づいて閉塞の原因が凍結か否かを判別し、この判別結果を表示手段１５に表示する。【選択図】図１
2005055117.tif 000002
【特許請求の範囲】
【請求項１】
バーナと、該バーナにより加熱される熱交換器を介設した温水の循環路と、該循環路に温水を循環させる循環ポンプとを有する温水循環式熱源機であって、
前記バーナを作動させる前に、前記循環ポンプを駆動するモータを所定回転数で回転させ、このときに該モータに流れる電流値と、前記循環路が閉塞しているか否かの判別基準になる基準値とを比較し、前記電流値が前記基準値より小さいときに、前記バーナの作動を禁止する制御手段を設けたことを特徴とする温水循環式熱源機。
【請求項２】
前記循環路の温度または外気温を検出する温度検出手段を備え、
前記制御手段は、前記電流値が前記基準値より小さいときに、前記温度検出手段の検出する温度に基づいて閉塞の原因が凍結か否かを判別し、この判別結果を表示手段に表示することを特徴とする請求項１に記載の温水循環式熱源機。
【請求項３】
前記循環路にヒータを設け、
前記制御手段は、前記循環路の閉塞の原因が凍結であると判別したときに、前記ヒータに通電することを特徴とする請求項２に記載の温水循環式熱源機。
【請求項４】
前記制御手段は、前記ヒータへの通電から所定時間後に、前記モータを所定回転数で回転させ、このときに該モータに流れる電流値と前記基準値とを比較し、前記電流値が前記基準値以上のときに、前記バーナの作動の禁止を解除することを特徴とする請求項３に記載の温水循環式熱源機。
【発明の詳細な説明】
【技術分野】
【０００１】
本発明は、温水を循環させて温調を行なう温水循環式熱源機に関する。
【背景技術】
【０００２】
従来、給湯機能を有すると共に、温水を循環させることによる浴槽内の湯水の昇温（追い焚き）が可能な温水循環式熱源機が知られている。この温水循環式熱源機のガス給湯器内にはバーナを熱源とする熱交換器が設けられており、循環ポンプ（風呂ポンプ）によって循環路内を循環される温水がバーナにより熱交換器を介して加熱されて浴槽に供給される。そして、浴槽内の温水は風呂ポンプに吸引されて上記熱交換器に還流する。
【０００３】
また、上記給湯及び追い焚き機能に加えて、温水を暖房機に循環させて温調を行なうものも知られている。この温水循環式熱源機は、浴槽を経由する循環経路とは別に、循環ポンプ（暖房ポンプ）によって循環される温水がバーナにより熱交換器を介して加熱され一次温水となって循環路（往路）に供給される。この一次温水は温風暖房機の送風用空気を昇温してから循環路（復路）を通って一旦シスターンに入った後、暖房ポンプに吸引される。そして、暖房ポンプから吐出される復水は上記熱交換器に還流するが、復水の一部は二次温水として分流され床暖房パネルの昇温に利用され、一次温水と同じ復路を通ってシスターンに合流する。なお、床暖房パネルのみを利用できるように、循環路には、上記一次温水を温風暖房機に供給することなく、シスターンを介して暖房ポンプに戻すバイパス管が設けられている。
【０００４】
この種の温水循環式熱源機は、凍結などにより循環路が閉塞する可能性があり、特に上記バイパス管は他の循環路よりも細径なものなので凍結し易い。そこで、従来の温水循環式熱源機は、循環路を加熱する凍結防止用ヒータを設置するなどして、循環路が凍結することのないように予防対策を施している（例えば特許文献１参照）。
【０００５】
そして、万が一、循環路が凍結してしまい、循環路が閉塞した状態で温水循環式熱源機が運転されるときには、循環路に温水が循環していなくてもバーナが熱交換器を加熱し続けるため、空焚きや沸騰により熱交換器がオーバーヒートするが、これを検知した安全装置が作動することによって温水循環式熱源機が強制的に運転停止するようになっている。従って、循環路の閉塞状態における運転による被害は小さくなるように設計されているが、被害を完全に防止することはできないという問題がある。
【０００６】
上述のように凍結予防対策を施しながら、なおかつ循環路の凍結が生じるのは、例えば次のようなケースが想定できる。すなわち、例えば寒冷地に温水循環式熱源機を新たに設置して試運転後、水抜きが完全にはなされず、且つ使用者がすぐには使用しないために、温水循環式熱源機の主電源（ＡＣ１００Ｖ）をオフした場合などである。このような場合には、主電源がオフしているので、凍結防止用ヒータが作動せず、循環路に残存している水が凍結してしまう。
【０００７】
このようにして循環路の凍結が発生することは、通常の使用ではその可能性が低いと想定されるが、上述のような熱交換器の不具合が生じる事態に対しての対処が望まれている。そこで、循環路が凍結などにより閉塞しているか否かを知るために、循環路に新たに水流スイッチを介設することも考えられるが、水流スイッチのような部品を用いることはコストの増加を要してしまう。
【特許文献１】特開平９−２２９４７７号公報
【発明の開示】
【発明が解決しようとする課題】
【０００８】
本発明は上記不具合を解消するために成されたものであり、循環路が閉塞した状態で始動したときに、低コストで装置の被害を防止できる温水循環式熱源機を提供することを目的とする。
【０００９】
また、本発明は、循環路が凍結した状態で始動したときにも運転が継続可能な温水循環式熱源機を提供することを他の目的とする。
【課題を解決するための手段】
【００１０】
前記の目的を達成するために、本願発明者らは種々検討を行った。そして、本願発明者らは、温水循環路の閉塞度合が進行した状態では、循環ポンプを駆動するモータの負荷が軽減され、その結果、このような状態では、モータの回転数が同じならばモータ電流が通常時よりも小さくなることを見出した。つまり、循環路の閉塞度合が進行し、温風暖房機や床暖房パネルの作動に支障をきたすレベルの状態におけるモータの所定回転数に対応したモータ電流値を予め基準値として記憶しておき、実際に前記所定回転数で回転するようにモータを制御するときのモータ電流が基準値以下ならば、このときモータに対する負荷が軽減されている、即ち、循環路は閉塞していることになる。
【００１１】
そこで、本発明の温水循環式熱源機は、バーナと、該バーナにより加熱される熱交換器を介設した温水の循環路と、該循環路に温水を循環させる循環ポンプとを有する温水循環式熱源機であって、前記バーナを作動させる前に、前記循環ポンプを駆動するモータを所定回転数で回転させ、このときに該モータに流れる電流値と、前記循環路が閉塞しているか否かの判別基準になる基準値とを比較し、前記電流値が前記基準値より小さいときに、前記バーナの作動を禁止する制御手段を設けたことを特徴とする。
【００１２】
かかる本発明によれば、循環路が閉塞している場合には、これをモータの電流値に基づいて判別して、バーナの作動を禁止することができる。そのため、熱交換器はバーナにより加熱されることはなく、オーバーヒートなどの被害を蒙ることはない。従って、たとえ循環路が閉塞した状態で始動したとしても、水流センサなどの特別なセンサを設けることなく、装置に被害が及ぶことを防止することができる。
【００１３】
また、本発明の温水循環式熱源機は、前記循環路の温度または外気温を検出する温度検出手段を備え、前記制御手段は、前記電流値が前記基準値より小さいときに、前記温度検出手段の検出する温度に基づいて閉塞の原因が凍結か否かを判別し、この判別結果を表示手段に表示するようにしてもよい。
【００１４】
かかる本発明によれば、温度検出手段の検出する温度に基づいて、凍結の異常が生じていることを報知することができ、使用者が異常に速やかに対処することが可能になる。
【００１５】
また、本発明の温水循環式熱源機は、前記循環路にヒータを設け、前記制御手段は、前記循環路の閉塞の原因が凍結であると判別したときに、前記ヒータに通電するようにしてもよい。
【００１６】
かかる本発明によれば、制御部により循環路が凍結していると判別されたときにヒータにより循環路を解凍させて循環路の閉塞原因を除去することが可能になる。従って、循環路の凍結時に業者に通報する必要が無く使い勝手が良くなる。
【００１７】
また、本発明の温水循環式熱源機は、前記制御手段が、前記ヒータへの通電から所定時間後に、前記モータを所定回転数で回転させ、このときに該モータに流れる電流値と前記基準値とを比較し、前記電流値が前記基準値以上のときに、前記バーナの作動の禁止を解除するようにしてもよい。
【００１８】
かかる本発明によれば、循環路の凍結に起因する閉塞がヒータの加熱により解消されたときに、バーナの作動禁止が解除される。従って、たとえ循環路が凍結した状態で始動したとしても運転を確実に継続することができる。
【発明を実施するための最良の形態】
【００１９】
次に、本発明の実施の形態の一例を図１〜図３を参照して説明する。図１は本発明の一実施形態の温水循環式熱源機の構成図、図２は図１示の装置による暖房処理を示すフローチャート、図３は図１示の装置による閉塞対処処理を示すフローチャートである。
【００２０】
図１を参照して、本実施の形態における温水循環式熱源機１は、風呂用温水の循環路を形成する風呂接続管２，３により浴槽４と接続されると共に、暖房用温水の循環路を形成する温風暖房接続管５，６により温風暖房機７、及び、床暖房接続管８，９により床暖房パネル１０（図では３個）とそれぞれ接続されている。
【００２１】
温水循環式熱源機１は、コントローラ１１により全体が制御され、給湯手段１２と暖房手段１３と追焚き手段１４とを備えている。また、コントローラ１１と接続されたリモコン１５により、使用者が温水循環式熱源機１に対する運転動作の指示を与えることができる。
【００２２】
コントローラ１１は、マイクロコンピュータやメモリ、Ｉ／Ｏユニット等の電子回路により構成され、リモコン１５によって指示される各種運転動作の内容に応じて、給湯手段１２、暖房手段１３、及び追焚き手段１４の制御を行う。また、コントローラ１１は、後述するように温水循環路の閉塞対処処理を行う。
【００２３】
給湯手段１２は、コントローラ１１からの制御信号により作動する給湯バーナ２１によって加熱される給湯熱交換器２２、図示しない水道管と接続されて給湯熱交換器２２に給水する給水管２３、給水管２３からの給水流量を検出してコントローラ１１に出力する水量センサ２４、給湯熱交換器２２で加熱された温水が出湯される出湯管２５、出湯管２５内の水を抜くための水抜栓２６、出湯管２５から分岐して後述する風呂循環回路７２を介して浴槽４と接続された湯張り管２７、出湯管２５の温水の温度を検出してコントローラ１１に出力する給湯温度センサ２８、コントローラ１１からの制御信号により湯張り管２７を開閉する注湯電磁弁２９、湯張り管２７から浴槽４への注湯流量を検出してコントローラ１１に出力する湯量センサ３０、及び浴槽４内の水位を静水圧により検出する水位センサ３１を備える。
【００２４】
尚、出湯管２５の下流端部は、例えば、台所等の給湯栓（図示しない）に接続される。また、給湯熱交換器２２の所定位置には、オーバーヒートスイッチ３２が配設され、配設箇所が過熱状態になるとバイメタル式の接点が開成状態になって給湯バーナ２１を消火する制御を行う。
【００２５】
上記給湯手段１２においては、使用者がリモコン１５を操作して、浴槽４への湯張り指示を行うと、コントローラ１１が注湯電磁弁２９を開弁する。この注湯電磁弁２９の開弁により、給水管２３から給湯熱交換器２２への給水が開始され、水量センサ２４で流水が検知される。コントローラ１１は水量センサ２４による流水の検知に応じて、給湯バーナ２１を作動させる。即ち、給湯ファン３３を作動させ、イグナイタ３８を介して給湯点火プラグ３９に高電圧を印加して火花放電を生じさせて、元電磁弁３４，給湯比例弁３５，給湯電磁弁３６，３７を開弁して、給湯バーナ２１に点火する。
【００２６】
次いでコントローラ１１は、給湯フレームロッド４０により給湯バーナ２１の点火を確認した後、給湯温度センサ２８で検出される浴槽４への給湯温度が、リモコン１５により設定された湯張り給湯温度となるように、給湯ファン３３の回転速度を制御して給湯バーナ２１への燃焼用空気の供給量を調節し、給湯比例弁３５，給湯電磁弁３６，３７を制御して給湯バーナ２１への燃料ガスの供給量を調節する。これにより、湯張り管２７を介して前記湯張り給湯温度の湯が浴槽４に供給される。そして、コントローラ１１は、水位センサ３１により、浴槽４内の湯の水位がリモコン１５で設定された目標水位以上となったときに、注湯電磁弁２９を閉弁して浴槽４への給湯を終了し、給湯バーナ２１の燃焼を停止して湯張りを終了する。
【００２７】
次に、暖房手段１３は、コントローラ１１からの制御信号により作動する暖房バーナ４１によって加熱される暖房熱交換器４２、コントローラ１１からの制御信号により暖房熱交換器４２で昇温された温水を暖房循環回路４３に循環させる循環ポンプとしての暖房ポンプ４４、暖房熱交換器４２からの出湯温度を検出する暖房温度センサ４５、暖房循環回路４３内の温水の膨張・収縮を吸収するシスターン４６、給水管２３からシスターン４６に補水する補水管４７、及びコントローラ１１からの制御信号により開閉される補水電磁弁４８を備えている。
【００２８】
上記暖房ポンプ４４を駆動するモータＭは、所定の回転数で回転するようにコントローラ１１によってフィードバック制御されている。また、シスターン４６の側面上部には、オーバーフロー管４９が設けられ、シスターン４６内を大気に開放させると共に、一定量以上の温水が放出されるようになっている。
【００２９】
上記暖房手段１３においては、使用者がリモコン１５を操作して、温風暖房機７の作動指示を行うと、コントローラ１１は、シスターン４６に備えられた低水位電極５０と高水位電極５１とからシスターン４６の水位を検出することにより、暖房循環回路４３内に水が満たされているか否かを確認し、暖房循環回路４３内に水が満たされていないときは、補水電磁弁４８を開弁して、給水管２３から補水管４７を介して暖房循環回路４３内に補水する。コントローラ１１は、暖房循環回路４３内に水が満たされた状態で、温風暖房機７の熱動弁（図示しない）を開弁して、暖房ポンプ４４を作動させる。次いで、暖房ファン５２を作動させ、イグナイタ３８を介して暖房点火プラグ５５に高電圧を印加して火花放電を生じさせて暖房比例弁５３、暖房電磁弁５４を開弁し、暖房バーナ４１に点火する。
【００３０】
次いでコントローラ１１は、暖房フレームロッド５６により暖房バーナ４１の点火を確認した後、暖房温度センサ４５で検出される暖房循環回路４３への給湯温度が所定の暖房給湯温度となるように、暖房ファン５２の回転速度を制御して暖房バーナ４１への燃焼用空気の供給量を調節し、暖房比例弁５３、暖房電磁弁５４を制御して暖房バーナ４１への燃料ガスの供給量を調節する。これにより温風暖房接続管５，６を構成の一部とする暖房循環回路４３を介して、前記暖房給湯温度の湯が連続的に温風暖房機７に送出される。
【００３１】
また、コントローラ１１は、使用者がリモコン１５を操作して床暖房パネル１０の作動指示を行うと床暖熱動弁５８を開弁する。床暖熱動弁５８を開弁することで、暖房循環回路４３から分岐した床暖房分岐管６０が、床暖房接続管８と連通されて暖房循環回路４３と連通する。これにより、温風暖房機７から戻る温水が床暖房パネル１０に供給される。
【００３２】
上記暖房循環回路４３には、暖房熱交換器４２で昇温された温水（一次温水）を温風暖房機７に供給することなく、シスターン４６を介して暖房ポンプ４４に戻すバイパス管６１が設けられており、床暖房パネル１０のみの暖房を行なえるようになっている。このとき、床暖房パネル１０を通過した復水は、暖房熱交換器４２からバイパス管６１を介して供給される温水と共にシスターン４６により混合され、シスターン４６の流出側から暖房ポンプ４４の流入側に還流されて、この混合された温水によって床暖房パネル１０による暖房が行われる。
【００３３】
また、上記暖房手段１３は、暖房ファン５２の吸込口近傍に外気温を検知する外気温サーミスタ６２が設けられ、他の循環路よりも細径で凍結し易いバイパス管６１には、後述するように凍結時に作動される解凍用ヒータ６３が設けられている。なお該解凍用ヒータ６３の設置位置及び設置個数は任意に選ぶことができる。さらに、暖房熱交換器４０の所定位置には、オーバーヒートスイッチ３２が配設され、配設箇所が過熱状態になるとバイメタル式の接点が開成状態になって暖房バーナ４１を消火する制御を行うようにしている。
【００３４】
次に、追焚き手段１４は、暖房熱交換器４２から暖房循環回路４３を介して供給される温水によって液−液熱交換動作を行う追焚き熱交換器７０、暖房熱交換器４２から追焚き熱交換器７０への給湯の開始と停止を切り替える風呂熱動弁７１、風呂接続管２，３を構成の一部とする風呂循環回路７２、浴槽４内の湯を風呂循環回路７２を介して循環させる循環ポンプとしての風呂ポンプ７３、風呂循環回路７２内の温水の温度を検出する風呂温度センサ７４、及び風呂循環回路７２内の流水の有無を検出する風呂水流スイッチ７５とを備える。
【００３５】
上記追焚き手段１４においては、使用者がリモコン１５を操作して、浴槽４内の湯水を昇温させる追焚きの作動指示を行うと、コントローラ１１は、注湯電磁弁２９が閉じられた状態で風呂ポンプ７３を作動させることにより、浴槽４内の湯水を風呂循環回路７２を介して循環させる。すなわち、コントローラ１１は風呂熱動弁７１を開弁し、上記暖房手段１３を駆動した場合と同様にして暖房バーナ４１に点火し、暖房バーナ４１の燃焼量を、暖房温度センサ４５で検出される暖房熱交換器４２からの出湯温度が所定の追焚き給湯温度となるように調節して暖房ポンプ４４を作動する。これにより、追焚き熱交換器７０に、前記追焚き給湯温度の湯が連続的に送出される。
【００３６】
この状態で、コントローラ１１は風呂ポンプ７３を作動させて浴槽４内の湯を風呂循環回路７２に追焚き熱交換器７０を介して循環させることで、浴槽４内の湯を昇温させる。そして、コントローラ１１は、風呂温度センサ７４で検出される温水の温度がリモコン１５で設定された追焚き目標温度に到達したときに、暖房バーナ４１、風呂ポンプ７３、及び暖房ポンプ４４の作動を停止し、風呂熱動弁７１を閉弁して追焚きを終了する。
【００３７】
次に、以上の構成を有する温水循環式熱源機１を新たに設置してユーザが初めて使用する場合の暖房処理について説明する。この場合には、業者が予め温水循環式熱源機１の試運転を行い、水抜き後に主電源（ＡＣ１００Ｖ）をオフしているものとする。
【００３８】
図２示のフローチャートを参照して、先ずユーザは、リモコン１５に設けられた図示しない主電源及び暖房スイッチ（床暖房）をＯＮ操作する。このＯＮ操作がなされると（ステップＳ１）、コントローラ１１は、補水電磁弁４８を開弁して給水管２３から補水管４７を介して暖房循環回路４３に給水を開始する（ステップＳ２）。
【００３９】
そして、コントローラ１１は、シスターン４６に設けられた低水位電極５０と高水位電極５１からの出力信号によって、暖房循環回路４３内に水が満ちた状態か否かを検出する（ステップＳ３）。水が満ちた状態であるときに、補水電磁弁４８を閉弁して暖房循環回路４３への給水を終了する（ステップＳ４）。
【００４０】
次に、コントローラ１１は、後述する閉塞対処処理を行う（ステップＳ５）。この閉塞対処処理の結果、運転可能か否か判別し（ステップＳ６）、運転可能と判別したときに、床暖熱動弁５８を開弁して、暖房ポンプ４４を駆動し（ステップＳ７）、次いで、暖房ファン５２を作動させると共に暖房バーナ４１を作動させ（ステップＳ８）、暖房バーナ４１の燃焼量に応じた暖房ファン５２の制御を行なう。そして、図示しない運転停止スイッチのＯＮ操作がなされると（ステップＳ９）、運転を停止して（ステップＳ１０）、処理を終了する。なお、上記ステップＳ６において、運転不可能と判別されたときはステップＳ１０に進み、処理を終了する。
【００４１】
上記暖房処理では、床暖房を説明したが、リモコン１５の操作に応じて、コントローラ１１は、ステップＳ７で温風暖房機７の熱動弁（図示しない）を開弁して暖房ポンプ４４を駆動すれば、温風暖房機７による暖房処理も同様に行なうことができ、さらに、床暖房パネル１０と温風暖房機７の両方を作動させることもできる。
【００４２】
次に、上記ステップＳ５における閉塞対処処理を図３示のフローチャートを参照して説明する。この閉塞対処処理では、先ず、コントローラ１１は暖房ポンプ４４を駆動するモータＭを所定回転数で回転させる（ステップＳ１１）。この所定回転数は、試験的なもので通常よりも小さい値でもよい。
【００４３】
そして、コントローラ１１は、該所定回転数でモータＭを回転させたときに実際にモータＭに流れる電流値（モータ電流値）と、メモリに予め記憶されている基準値とを比較し（ステップＳ１２）、モータ電流値が基準値以下の場合には、暖房バーナ４１の作動を禁止する（ステップＳ１３）。上記基準値は、モータＭが上記所定回転数で回転したとき、循環路の閉塞度合が温風暖房機７や床暖房パネル１０の作動に支障をきたすレベルの状態でのモータＭに流れる電流を基準として求められたものである。そして、モータ電流値は循環路の閉塞度合が大となるに従って低くなり、モータ電流値が基準値以下の場合には循環路が閉塞していることになる。
【００４４】
ステップＳ１３に続いて、コントローラ１１は外気温サーミスタ６２により検出された検出温度と、所定温度（例えば３℃）とを比較し（ステップＳ１４）、検出温度が所定温度以下のときに、閉塞原因が凍結であると判別し、リモコン１５の不図示の画面（表示手段）には、凍結に対応した表示として、例えば「運転準備中です。しばらくお待ち下さい」、あるいはユーザがマニュアルを参照することを前提としたエラー表示“Ｅ０１”などが表示される（ステップＳ１５）。
【００４５】
ステップＳ１５に続いて、コントローラ１１は解凍用ヒータ６３に通電して作動させ（ステップＳ１６）、続いて所定時間（例えば１分）を計時するタイマをリセットしてオンする（ステップＳ１７）。コントローラ１１は、タイマにより所定時間が経過したか否か判別し（ステップＳ１８）、所定時間経過したときに、初期値が０のカウント用変数Ｃをインクリメントする（１を加算する）（ステップＳ１９）。
【００４６】
次いでコントローラ１１は暖房ポンプ４４を駆動するモータＭを上記所定回転数で回転させる（ステップＳ２０）。そして、このときのモータ電流値と、上記基準値とを比較し（ステップＳ２１）、モータ電流値が基準値より大きいときに暖房バーナ４１の動作禁止を解除して（ステップＳ２２）、処理を終了する。このようにモータ電流値が基準値より大きくなったときには、循環路が解凍して閉塞が解消しているので、図２示の暖房処理のステップＳ５では運転可能と判定されることになる。
【００４７】
上記ステップＳ２１において、モータ電流値が基準値以下ならば、ステップＳ２３によってカウント用変数Ｃを用いてステップＳ２１の判別回数が３回になるまではステップＳ１７へ戻り、該判別回数が３回になってもモータ電流値が基準値より大きくならない場合にはステップＳ２４に進む。この場合には、循環路が十分に解凍せずに閉塞が解消していない異常が発生している。また、上記ステップＳ１４において、外気温サーミスタ６２の検出温度が所定温度より高い場合にもステップＳ２４に進む。この場合には凍結以外の原因により閉塞が生じている。上記ステップＳ２４では、リモコン１５の不図示の画面（表示手段）に、異常表示として、例えば「故障が発生しました。サービスセンターにご連絡下さい」、あるいはユーザがマニュアルを参照することを前提としたエラー表示“Ｅ０２”などが表示される。このとき、図２示の暖房処理のステップＳ５では運転不可能と判定されることになる。
【００４８】
なお、上記ステップＳ１２において、モータ電流値が基準値より大きければ、温風暖房機７や床暖房パネル１０の作動に支障をきたさないレベルの閉塞度合（循環路の閉塞は生じていない）なので閉塞対処処理を終了する。このとき、図２示の暖房処理のステップＳ５では運転可能と判定されることになる。
【００４９】
以上説明したように、本実施形態の温水循環式熱源機１は、運転前に暖房用温水の循環路（暖房循環回路４３）が閉塞していたときに、コントローラ１１の閉塞対処処理により暖房バーナ４１の作動が禁止される。そのため、この場合には暖房熱交換器４２が加熱されず、従って空焚きなどを防止することができる。また、暖房循環回路４３が凍結したときに、暖房バーナ４１の作動を禁止し、合わせてその旨をリモコンに表示するので使用者に凍結を報知することができる。また、温水循環式熱源機１は、暖房循環回路４３（バイパス管６１）に解凍用ヒータ６３を設け、暖房循環回路４３が凍結しているときにそれを解凍させた後、暖房バーナ４１の作動の禁止を解除させて通常の運転を実行することができる。
【００５０】
以上の様に、この発明の具体的な実施の形態について説明したが、この発明は上記実施形態に限定されるものではなく、この発明の範囲内で種々変更して実施することができる。例えば、上記実施形態では、暖房循環回路４３が凍結しているか否かを判別するために、外気温サーミスタ６２を設けたが、例えば暖房温度センサ４５の示す温度により暖房循環回路４３の凍結を検知するようにしてもよく、この場合には部品点数を減らすことができる。
【００５１】
また、上記実施形態の構成に加えて、暖房ポンプ４４に図１に仮想線で示すように解凍用ヒータ６３を設けるようにしてもよい。この場合のコントローラ１１による閉塞対処処理は、図３示のフローチャートのステップ１１に続いて、コントローラ１１は、暖房ポンプ４４を駆動するモータＭの回転数が所定値以下か否かを判別する。そして、モータＭの回転数が該所定値以下のときに暖房ポンプ４４が凍結していると判定し、暖房ポンプ４４に設けた解凍用ヒータ６３に通電し、暖房ポンプ４４の解凍を確認後、図３示のステップ１２に進む。従って、上記構成によれば、暖房ポンプ４４の水抜きが不十分で暖房ポンプ４４が凍結している場合にも対応することができ、使い勝手が良くなる。
【００５２】
また、上記実施形態では、温水循環式熱源機１を新たに設置した場合（試運転後、初めてユーザが使用する場合）について説明したが、これに限らず、暖房運転を行う毎に上記閉塞対処処理を行なうようにしても良いことはもちろんである。
【００５３】
また、上記実施形態では、温水循環式熱源機１の暖房手段１３（あるいは暖房循環回路４３）に関して温水の循環路の閉塞対策を説明したが、追焚き手段１４（あるいは風呂循環回路７２）に関して温水の循環路の閉塞に対処するようにしてもよく、あるいは暖房手段１３と追焚き手段１４の両方に対して実行できるようにしてもよい。この場合、風呂循環回路７２に関して温水の循環路の閉塞に対処するために、風呂ポンプ７３を駆動するモータの電流値に基づいて風呂循環回路７２の閉塞度合を検知し、閉塞しているときに暖房バーナ４１の動作を禁止する制御を行う。この構成では、暖房機能を有していない温水循環式熱源機に対しても本発明を適用することができる。
【００５４】
また、上記実施形態では、ガスを燃焼させて温水を生成するものを示したが、石油等の他の燃料を燃焼させるバーナを使用して温水を生成するものであってもよい。さらに、給湯機能を備えていないものや暖房専用の温水循環式熱源機であってもよい。
【図面の簡単な説明】
【００５５】
【図１】本発明の一実施形態の温水循環式熱源機の構成図。
【図２】図１示の装置による暖房処理を示すフローチャート。
【図３】図１示の装置による閉塞対処処理を示すフローチャート。
【符号の説明】
【００５６】
１・・・温水循環式熱源機、１１・・・コントローラ、１３・・・暖房手段、４１・・・暖房バーナ、４２・・・暖房熱交換器、４３・・・暖房循環回路、４４・・・暖房ポンプ、６１・・・バイパス管、６２・・・外気温サーミスタ、６３・・・解凍用ヒータ。
【図１】
2005055117.tif 000003
【図２】
2005055117.tif 000004
【図３】
2005055117.tif 000005